(57)【要約】【課題】着用者が長時間着用しても、着用者の腹側から尿が漏れ出しにくい使い捨ておむつを提供する。【解決手段】使い捨ておむつ１００であって：着用者の腹部を覆うための前身頃１０Ｆと；着用者の背部を覆うための後身頃１０Ｂであって、着用者の胴回りの側面において前身頃１０Ｆと接続される後身頃１０Ｂと；着用者の股下を覆うための股下部１０Ｍであって、前身頃１０Ｆおよび後身頃１０Ｂに接続されている股下部１０Ｍと；着用者から排出される体液を吸収することができる吸収体３１と、を備える。吸収体３１は：股下部１０Ｍに配される第１部分３１１と；前身頃１０Ｆに配され、第１部分３１１と接続されており、胴回り方向Ｙについて、使い捨ておむつ１００の中心Ｃから、第１部分３１１の端３１１Ｅよりも前身頃１０Ｆの端１０ＦＥに近い位置まで、設けられている第２部分３１２と、を備える。【選択図】図２Ａ
2018126179.tif 000002
【特許請求の範囲】
【請求項１】
着用者の腹部を覆うための前身頃と、
前記着用者の背部を覆うための後身頃であって、幅方向の両端部において、前記前身頃の幅方向の両端部とそれぞれ接続される後身頃と、
前記着用者の股下を覆うための股下部であって、前記前身頃および前記後身頃に接続されている股下部と、
前記着用者から排出される体液を吸収することができるシート状の吸収体と、を備え、
前記吸収体は、
前記股下部に配される矩形状の第１部分と、
前記前身頃に配され、前記第１部分と接続されており、幅方向について、使い捨ておむつの中心から、前記第１部分の端よりも前記前身頃の端に近い位置まで、設けられている矩形状の第２部分と、を備える、使い捨ておむつ。
【請求項２】
請求項１記載の使い捨ておむつであって、
前記第２部分は、他の部位に比べてへこんで設けられる複数の腹側凹部であって、前記へこみの方向に垂直な第１の方向の寸法に比べて、前記へこみの方向および前記第１の方向に垂直な第２の方向に長い、複数の腹側凹部を備える、使い捨ておむつ。
【請求項３】
請求項２記載の使い捨ておむつであって、
前記第１の方向は、幅方向であり、
前記第２の方向は、前後方向である、使い捨ておむつ。
【請求項４】
請求項２記載の使い捨ておむつであって、
前記第１の方向は、前後方向であり、
前記第２の方向は、幅方向である、使い捨ておむつ。
【請求項５】
請求項１から４のいずれか１項に記載の使い捨ておむつであって、
前記第２部分の幅方向の長さは、前記前身頃の幅方向の長さに対して、８０％以上である、使い捨ておむつ。
【請求項６】
請求項１記載の使い捨ておむつであって、
前記吸収体は、さらに、
前記後身頃に配され、前記第１部分と接続されており、幅方向について、前記使い捨ておむつの中心から、前記第１部分の端よりも前記後身頃の端に近い位置まで設けられている矩形状の第３部分と、を備える、使い捨ておむつ。
【請求項７】
請求項６記載の使い捨ておむつであって、
前記第３部分は、他の部位に比べてへこんで設けられる複数の背側凹部であって、前記へこみの方向に垂直な第３の方向の寸法に比べて、前記へこみの方向および前記第３の方向に垂直な第４の方向に長い、複数の背側凹部を備える、使い捨ておむつ。
【請求項８】
請求項７記載の使い捨ておむつであって、
前記第３の方向は、幅方向であり、
前記第４の方向は、前後方向である、使い捨ておむつ。
【請求項９】
請求項７記載の使い捨ておむつであって、
前記第３の方向は、前後方向であり、
前記第４の方向は、幅方向である、使い捨ておむつ。
【発明の詳細な説明】
【技術分野】
【０００１】
本発明は、使い捨ておむつに関するものである。
【背景技術】
【０００２】
従来、矩形シート状の吸収体を備え、吸収体で着用者の尿を吸収し保持する使い捨ておむつがある（特許文献１）。吸収体は、パルプと、高吸水性樹脂（Super Absorbent Polymer、以下「ＳＡＰ」という。）と、を含む。
【先行技術文献】
【特許文献】
【０００３】
【特許文献１】特開２００７−２９６１２号公報
【発明の概要】
【発明が解決しようとする課題】
【０００４】
しかし、従来の使い捨ておむつにあっては、着用者が着用して一晩、経過すると、着用者の腹側から尿が漏れ出していることがあった。着用者の腹側から尿が漏れ出すのは、以下のような理由によるものと考えられる。着用者が寝ているときに、その姿勢が仰向けからうつ伏せに変わることがあり、着用者がうつ伏せの状態で排尿したときに尿が腹側に偏って流出し、その結果、着用者の腹側から尿が漏れ出てしまう。さらに、着用者が男子の場合には、排尿位置が腹側寄りであるため、着用者がうつ伏せの状態で排尿したときに限らず、着用者が仰向けの姿勢で寝ているときであっても、着用者の腹側から尿が漏れ出てしまう。このため、男子と女子の両方に着用され得る使い捨ておむつにおいては、特に、腹側からの尿の漏れ出しの防止が問題となる。
【０００５】
おむつ外部への尿の漏れ出しを防止するために、吸収体を厚く構成して、吸収体が吸収できる尿の量を増大させる方法が考えられる。しかし、吸収体を厚く構成すると、シート状の吸収体の剛性が高くなる。その結果、着用者の身体の外形に沿って変形しにくくなり、着用感が悪化する。
【０００６】
また、着用者は一晩の間に複数回の排尿を行う。このため、厚い吸収体を備えるおむつにおいては、以下のような問題が生じる。すなわち、１回目の排尿において、厚い吸収体のうち、着用者側の近傍に位置する部分が尿を吸収する。すると、吸収体のうち、着用者側の近傍に位置する吸収性樹脂がジェル化して、尿を透過しにくい層を構成する。このとき、厚く構成された吸収体のうち、ジェル化した層のさらに外側には、まだ尿を吸収していない部分が存在する。しかし、２回目以降の排尿の際には、そのジェル層に阻害されて、吸収体のうち、ジェル層の外側に位置する部分に尿が到達しない。このため、吸収体を厚く構成しても、吸収体全体の吸収性樹脂が活用されにくい。そして、ジェル化した層によって浸透を阻まれた尿が、おむつから漏れ出してしまう。
【課題を解決するための手段】
【０００７】
本発明は、上述の課題を解決するためになされたものであり、以下の形態又は適用例として実現することが可能である。
【０００８】
（１）本発明の一形態によれば、使い捨ておむつが提供される。この使い捨ておむつは：着用者の腹部を覆うための前身頃と；前記着用者の背部を覆うための後身頃であって、幅方向の両端部において、前記前身頃の幅方向の両端部とそれぞれ接続される後身頃と；前記着用者の股下を覆うための股下部であって、前記前身頃および前記後身頃に接続されている股下部と；前記着用者から排出される体液を吸収することができるシート状の吸収体と、を備える。前記吸収体は：前記股下部に配される矩形状の第１部分と；前記前身頃に配され、前記第１部分と接続されており、幅方向について、使い捨ておむつの中心から、前記第１部分の端よりも前記前身頃の端に近い位置まで、設けられている矩形状の第２部分と、を備える。
このような態様とすれば、第２部分が幅方向について第１部分の端よりも前身頃の端に近い位置まで設けられているため、第２部分が第１部分と同程度の幅を有する態様に比べて、より多くの体液を吸収することができる。さらに、第２部分が前身頃に配されているため、腹側からの体液の漏れ出しを効果的に防止することができる。なお、本明細書において「矩形」は、長方形及び正方形を含む意味で使用する。
【０００９】
（２）上記形態の使い捨ておむつであって、前記第２部分は、他の部位に比べてへこんで設けられる複数の腹側凹部であって、前記へこみの方向に垂直な第１の方向の寸法に比べて、前記へこみの方向および前記第１の方向に垂直な第２の方向に長い、複数の腹側凹部を備える、態様とすることもできる。このような態様とすれば、第１部分の表面から第２部分の表面に流出した体液は、腹側凹部を通って、迅速に第２部分の表面に広がる。このため、第２部分の全体を活用して、着用者の体液を効果的に吸収することができる。
【００１０】
（３）上記形態の使い捨ておむつであって、前記第１の方向は、幅方向であり、前記第２の方向は、前後方向である、態様とすることもできる。このような態様とすれば、着用者の体液が第２部分の前後方向に迅速に広がり、着用者の体液を効果的に吸収することができる。
【００１１】
（４）上記形態の使い捨ておむつであって、前記第１の方向は、前後方向であり、前記第２の方向は、幅方向である、態様とすることもできる。このような態様とすれば、着用者の体液が第２部分の幅方向に迅速に広がり、着用者の体液を効果的に吸収することができる。
【００１２】
（５）上記形態の使い捨ておむつであって、前記第２部分の幅方向の長さは、前記前身頃の幅方向の長さに対して、８０％以上である、態様とすることもできる。このような態様とすれば、着用者の体液を十分、吸収することができる。
【００１３】
（６）上記形態の使い捨ておむつであって、前記吸収体は、さらに、前記後身頃に配され、前記第１部分と接続されており、幅方向について、前記使い捨ておむつの中心から、前記第１部分の端よりも前記後身頃の端に近い位置まで設けられている矩形状の第３部分と、を備える、態様とすることもできる。
このような態様とすれば、第３部分は、幅方向について、第１部分の端よりも前身頃の端に近い位置まで設けられているため、第３部分が第１部分と同程度の幅を有する態様に比べて、上記の態様は、より多くの体液を吸収することができる。さらに、第３部分が後身頃に配されているため、背側からの体液の漏れ出しを効果的に防止することができる。
【００１４】
（７）上記形態の使い捨ておむつであって、前記第３部分は、他の部位に比べてへこんで設けられる複数の背側凹部であって、前記へこみの方向に垂直な第３の方向の寸法に比べて、前記へこみの方向および前記第３の方向に垂直な第４の方向に長い、複数の背側凹部を備える、態様とすることもできる。このような態様とすれば、第１部分の表面から第３部分の表面に流出した体液は、背側凹部を通って、迅速に第３部分の表面に広がる。このため、着用者の体液を効果的に吸収することができる。
【００１５】
（８）上記形態の使い捨ておむつであって、前記第３の方向は、幅方向であり、前記第４の方向は、前後方向である、態様とすることもできる。このような態様とすれば、着用者の体液が第３部分の前後方向に迅速に広がり、着用者の体液を効果的に吸収することができる。
【００１６】
（９）上記形態の使い捨ておむつであって、前記第３の方向は、前後方向であり、前記第４の方向は、幅方向である、態様とすることもできる。このような態様とすれば、着用者の体液が第３部分の幅方向に迅速に広がり、着用者の体液を効果的に吸収することができる。
【００１７】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００１８】
本発明は、着用者が着用する使い捨ておむつの種々の形態で実現することが可能である。より具体的にはテープ型やパンツ型の使い捨ておむつの形態で実現することができる。
【図面の簡単な説明】
【００１９】
【図１】第１実施形態のパンツ型使い捨ておむつ１００を示す斜視図である。
【図２Ａ】第１実施形態のパンツ型使い捨ておむつ１００の展開図である。
【図２Ｂ】第１実施形態のパンツ型使い捨ておむつ１００の断面図である。
【図３】第２実施形態のパンツ型使い捨ておむつ１００ｂの展開図である。
【発明を実施するための形態】
【００２０】
Ａ．第１実施形態：
図１は、第１実施形態のパンツ型使い捨ておむつ１００を示す斜視図である。パンツ型使い捨ておむつ１００は、前身頃１０Ｆと、後身頃１０Ｂと、股下部１０Ｍと、を備える。前身頃１０Ｆは、パンツ型使い捨ておむつ１００のうち、着用者の腹部を覆うための部位である。後身頃１０Ｂは、パンツ型使い捨ておむつ１００のうち、着用者の背部を覆うための部位である。股下部１０Ｍは、パンツ型使い捨ておむつ１００のうち、着用者の股下を覆うための部位である。
【００２１】
股下部１０Ｍは、前身頃１０Ｆおよび後身頃１０Ｂに接続されている。前身頃１０Ｆと、後身頃１０Ｂとは、着用者の胴回り方向について、股下部１０Ｍよりも幅広に設けられている。前身頃１０Ｆと後身頃１０Ｂとは、幅方向の両端部において、接合部１０Ｃ，１０Ｃを介して、接続されている。着用者の身体の側面において接合された前身頃１０Ｆおよび後身頃１０Ｂと、股下部１０Ｍと、に囲まれた開口に、着用者の脚が通される。着用者の身体の側面において接合された前身頃１０Ｆと後身頃１０Ｂに囲まれた開口に、着用者の腰部が通される。使い捨ておむつ１００が着用された際に、接合部１０Ｃ，１０Ｃは、着用者の身体の左右の側面に位置する。
【００２２】
なお、パンツ型使い捨ておむつ１００の製造時には、接合部１０Ｃは、前身頃１０Ｆおよび後身頃１０Ｂとそれぞれ一体で形成される。そして、前身頃１０Ｆと一体で形成された接合部１０Ｃと、後身頃１０Ｂと一体で形成された接合部１０Ｃとが、互いに接合されてパンツ型使い捨ておむつ１００が形成される。しかし、本実施形態においては、便宜上、接合部１０Ｃは、前身頃１０Ｆとは別の構成として取り扱う。また、接合部１０Ｃは、後身頃１０Ｂとは別の構成として取り扱う。
【００２３】
なお、本明細書において、「胴回り方向」という場合、着用者を基準とする胴回り方向を意味する。同様に、「前後方向」という場合、着用者を基準とする前後方向を意味する。また、「前方向」は、着用者の身体に沿って、着用者の背側から腹側に向かう方向である。同様に、「後方向」は、着用者の身体に沿って、着用者の腹側から背側に向かう方向である。
【００２４】
図１において、「前方向」を、着用者の背側から腹側に向かうカーブしたＸ軸で示す。図１において、左から右に向かう方向を、Ｙ軸＋方向とする。使い捨ておむつ１００の構造を記述する際の「幅方向」は、Ｙ軸方向である。図１において、Ｘ軸とともにＹ軸を示す。図１において、着用者から離れる方向、すなわち、パンツ型使い捨ておむつ１００に囲まれた空間の内側から外側に向かう方向を、便宜的にＺ軸の−方向とする。
【００２５】
図２Ａは、第１実施形態のパンツ型使い捨ておむつ１００の展開図である。図２Ａは、前身頃１０Ｆと後身頃１０Ｂとが接合部１０Ｃ，１０Ｃで接続される前の段階のパンツ型使い捨ておむつ１００を示す。図２Ａは、技術の理解を容易にするための説明図であり、各部の寸法は、実際の寸法を反映するものではない。
【００２６】
図２Ａにおいて、互いに直行するＸ軸、Ｙ軸、Ｚ軸を示す。図２Ａに示すＸ軸およびＹ軸は、図１を使用して説明したＸ軸、Ｙ軸、Ｚ軸に対応する。Ｘ軸の正方向は、使い捨ておむつ１００の展開図において、後身頃１０Ｂから前身頃１０Ｆに向かう向きである。Ｚ軸の正方向は、使い捨ておむつ１００の展開図において、使い捨ておむつ１００の外面側から着用者に接する側に向かう向きである。Ｙ軸は、Ｘ軸およびＺ軸に直交する。
【００２７】
図２Ｂは、図２Ａの２Ｂ−２Ｂ断面における第１実施形態のパンツ型使い捨ておむつ１００の構造を模式的に示す断面図である。図２Ａおよび図２Ｂにおいて、パンツ型使い捨ておむつ１００の中心Ｃを一点鎖線で示す。なお、図２Ｂは、パンツ型使い捨ておむつ１００の各構成の寸法を正確に反映するものではない。図２Ｂにおいては、技術の理解を容易にするため、パンツ型使い捨ておむつ１００の各構成を互いに離間して示している。しかし、実際には、図２Ｂに示す各構成は、少なくともＺ軸方向について、互いに接触して積層されている。
【００２８】
使い捨ておむつ１００の内側表面は、表面シート２１に覆われている。使い捨ておむつ１００の外側表面は、カバーシート２２に覆われている。表面シート２１とカバーシート２２との間には、吸収体３１が配されている。さらに、吸収体３１とカバーシート２２との間には、防水シート４１が配されている。
【００２９】
表面シート２１は、パンツ型使い捨ておむつ１００が着用者に着用される際に、着用者側となる側に配されるシートである。表面シート２１は、着用者の尿や体液を透過させることができる素材で構成される。
【００３０】
表面シート２１を構成する材料としては、たとえば、織布、不織布、多孔性フィルム、網目を有するネット状シートを採用することができる。ただし、表面シート２１は、不織布であることが好ましい。不織布としては、スパンボンド不織布、ニードルパンチ不織布、スパンレース不織布、エアースルー不織布を用いることができる。
【００３１】
カバーシート２２は、パンツ型使い捨ておむつ１００が着用者に着用される際に、外側（着用者側とは逆の側）となる側に配されるシートである。カバーシート２２は、パンツ型使い捨ておむつ１００の強度を高め、パンツ型使い捨ておむつ１００の手触りをよくする機能を奏する。
【００３２】
カバーシート２２を構成する材料としては、織布、および不織布を採用することができる。不織布としては、ポリエチレン、ポリプロピレン、ポリエステル等の熱可塑性樹脂からなる乾式不織布、湿式不織布を用いることが好ましい。
【００３３】
吸収体３１は、着用者から排出される尿や体液を吸収し、保持する部材である。吸収体３１は、第１部分３１１と、第２部分３１２と、第３部分３１３と、を備える。
【００３４】
吸収体３１の第１部分３１１は、股下部１０Ｍに配される。第１部分３１１は、略長方形の平面形状を有する板状（シート状）に形成されている。第１部分３１１の長手方向（Ｘ軸方向）の長さは、着用者の大小便が及ぶことが想定される範囲の長さと一致しており、本実施形態において５０ｃｍである。なお、着用者の大小便が及ぶことが想定される範囲は、着用者の個人差や着用の際の位置ズレ等を考慮の上、十分な余裕を持って設定されている。
【００３５】
図２Ｂに示すように、第１部分３１１は、吸収部３２と、吸収部３２を覆うコアラップシート３３と、を備える。吸収部３２は、略長方形の平面形状を有する板状（シート状）の部材である。吸収部３２は、液体を吸収することができる繊維（本明細書において「吸収性繊維」とも表記する）と、液体を吸収し保持することができる樹脂（本明細書において「吸収性樹脂」とも表記する）と、で構成される。
【００３６】
吸収性繊維は、いわゆるフラッフパルプ（綿状パルプ）として構成することができる。吸収性繊維としては、パルプ繊維、レーヨン繊維、またはコットン繊維のようなセルロース系繊維の短繊維（繊維長５ｍｍ以下のもの）や、ポリエチレン、ポリプロピレン、またはポリエチレンテレフタレート等の合成繊維に親水化処理を施した短繊維（繊維長５ｍｍ以下のもの）を採用することができる。吸収部３２を構成する際には、これらの繊維を単独で用いることもでき、複数種類の繊維を組み合わせて用いることもできる。
【００３７】
吸収部３２においては、粒状の吸収性樹脂が、吸収性繊維の隙間に埋没されて保持されている。吸収性樹脂としては、水を吸収し保持することのできる架橋構造を持つ親水性ポリマー、いわゆる「高吸収性ポリマー」（ＳＡＰ：Ｓｕｐｅｒ  Ａｂｓｏｒｂｅｎｔ  Ｐｏｌｙｍｅｒ）を採用することができる。
【００３８】
吸収部３２が保持する吸収性樹脂としては、デンプン系、セルロース系、または合成ポリマー系の樹脂を採用することができる。より具体的には、吸収性樹脂として、デンプン−アクリル酸（塩）グラフト共重合体、デンプン−アクリル酸エチルグラフト共重合体のケン化物、デンプン−メタクリル酸メチルグラフト共重合体のケン化物、デンプン−アクリロニトリルグラフト共重合体のケン化物、デンプン−アクリルアミドグラフト共重合体のケン化物、ポリアクリル酸（塩）、アクリル酸で架橋されたポリエチレンオキシド、ナトリウムカルボキシメチルセルロースの架橋物、ポリビニルアルコール−無水マレイン酸反応物の架橋物等を採用することができる。本実施形態においては、自重の２０倍以上の水分を吸収し得る高い吸収性能を有する、ポリアクリル酸ナトリウムを採用する。
【００３９】
コアラップシート３３は、吸収部３２を覆っている。コアラップシート３３は、吸収部３２の表面シート２１側に配されて吸収部３２の表面シート２１側の一部を覆う第１のシート３３１と、吸収部３２の他の部位を覆う第２のシート３３２と、から構成される。第１のシート３３１および第２のシート３３２の素材としては、たとえば、ティッシュペーパ等の紙を採用することができる。ティッシュペーパとしては、坪量が１０〜３０ｇ／ｍ2のものを採用することができる。また、コアラップシート３３は、不織布とすることもできる。不織布としては、スパンボンド不織布、ニードルパンチ不織布、スパンレース不織布、エアースルー不織布を用いることができる。
【００４０】
吸収体３１の第１部分３１１を覆う部位において、表面シート２１は、センターシート１２と、サイドシート１４，１４とを備える。センターシート１２は、表面シート２１の一部であるため、図２Ｂにおいては、符号１２に符号２１を併記する。同様に、サイドシート１４，１４は、表面シート２１の一部であるため、図２Ｂにおいては、符号１４に符号２１を併記する。センターシート１２は、カバーシート２２とともに、Ｚ軸方向の両側から第１部分３１１および防水シート４１を挟んで、これらのＸＹ面上における位置を固定している。技術の理解を容易にするため図２Ｂには表していないが、表面シート２１のセンターシート１２と第１部分３１１とは、ホットメルト接着剤により接着されている。
【００４１】
表面シート２１に覆われた吸収体３１の第１部分３１１には、表面シート２１とともに、エンボス加工が施されている。その結果、表面シート２１のうち、吸収体３１の第１部分３１１が位置する範囲には、Ｘ軸方向およびＹ軸方向に並ぶ多数の長円形の凹部Ｅ１が設けられている（図２Ａ参照）。
【００４２】
サイドシート１４，１４は、センターシート１２に対して、Ｙ軸方向の両側に配される。サイドシート１４は、Ｙ軸方向についてパンツ型使い捨ておむつ１００の中心Ｃとは逆の側の部位を、センターシート１２に固定されている。より具体的には、サイドシート１４の端部は、センターシート１２のＹ軸方向の端部に固定されている。
【００４３】
サイドシート１４とセンターシート１２とが接合されている部位においては、サイドシート１４とセンターシート１２の間に、３本の弾性部材６６，６６，６６が、Ｘ軸方向に沿って配されている（図２Ａも参照）。弾性部材６６の素材としては、糸ゴム、伸縮性不織布、伸縮性樹脂フィルムなどを採用することができる。パンツ型使い捨ておむつ１００が着用者に着用され、センターシート１２、第１部分３１１、防水シート４１およびカバーシート２２が湾曲した状態においては、弾性部材６６が収縮して、着用者の太腿の付け根を囲むレグギャザーが形成される。レグギャザーは、着用者とパンツ型使い捨ておむつ１００の間から尿や便が漏出する事態を防止する。
【００４４】
サイドシート１４のＹ軸方向について中心Ｃの側の部位は、センターシート１２側に折り返されて、互いに固定されている。サイドシート１４の折り返された部位は、センターシート１２に固定されていない。当該部位は、ひれ部６２を構成する。ひれ部６２の先端近傍には、２本の弾性部材６４，６４がサイドシート１４に挟まれて固定されている。弾性部材６４の素材としては、糸ゴム、伸縮性不織布、伸縮性樹脂フィルムなどを採用することができる。弾性部材６４，６４は、Ｘ軸方向に沿って配されている（図２Ａ参照）。
【００４５】
ひれ部６２は、パンツ型使い捨ておむつ１００が平面に沿って展開されている状態において、センターシート１２上に重ねられている（図２Ｂの実線で示す６２参照）。このとき、弾性部材６４は伸長した状態にある。一方、前身頃１０Ｆと後身頃１０Ｂとが、接合部１０Ｃ，１０Ｃを介して接続され、パンツ型使い捨ておむつ１００が図１に示す状態となると、センターシート１２、第１部分３１１、防水シート４１およびカバーシート２２が湾曲する。すると、弾性部材６４，６４が収縮して、センターシート１２よりも湾曲の内側を通ることから、センターシート１２に対して、ひれ部６２が立ち上がる（図２Ｂの破線で示す６２参照）。その結果、立体ギャザーが形成される。立体ギャザーは、レグギャザーとともに、着用者とパンツ型使い捨ておむつ１００の間から尿や便が漏出する事態を防止する。
【００４６】
一方、吸収体３１の第２部分３１２は、前身頃１０Ｆに配される（図２Ａ参照）。第２部分３１２は、略長方形の平面形状を有する板状（シート状）に形成されている。第２部分３１２の構成は、第１部分３１１の構成と略同様である（図２Ｂ参照）。吸収体３１の第２部分３１２は、長方形の下側（Ｘ軸方向−側）の長辺の中央近傍において、吸収体３１の第１部分３１１と接続されている。より具体的には、吸収体３１の第１部分３１１と第２部分３１２とは、一体に形成されている。また、吸収体３１の第２部分３１２は、外側表面から折り返されたカバーシート２２によって、長方形の上側（Ｘ軸方向＋側）の一部を覆われている。
【００４７】
第２部分３１２の長手方向（Ｙ軸方向）の長さは、第１部分３１１の寸法よりも大きく設けられている。その結果、第２部分３１２は、胴回り方向（Ｙ軸方向）について、パンツ型使い捨ておむつ１００の中心Ｃから、第１部分３１１の端３１１Ｅよりも、同じ側にある前身頃１０Ｆの端１０ＦＥに近い位置まで、設けられている。
【００４８】
第２部分３１２の端３１２Ｅは、第１部分３１１の端３１１Ｅと、同じ側にある前身頃１０Ｆの端１０ＦＥと、の中間地点よりも前身頃１０Ｆの端１０ＦＥの側にある。その結果、吸収体３１の第２部分３１２の一部は、着用者の大小便が及ぶことが通常、想定される範囲の外側に位置する。本実施形態においては、具体的には、第２部分３１２の長手方向（Ｙ軸方向、幅方向）の長さは、前身頃１０Ｆの幅方向の長さに対して、８５％である。第２部分３１２の長手方向の長さは、前身頃１０Ｆの幅方向の長さに対して、８０％以上であることが好ましい。なお、本実施形態において、前身頃１０Ｆの端１０ＦＥとは、前身頃１０Ｆと接合部１０Ｃとの境界を意味する。
【００４９】
このような構成とすることにより、（ｉ）吸収体３１の第１部分３１１で吸収しきれない体液は、第１部分３１１と接続されている第２部分３１２に吸収される。また、（ｉｉ）第２部分３１２は、胴回り方向（Ｙ軸方向）について、第１部分３１１の端３１１Ｅよりも前身頃１０Ｆの端１０ＦＥに近い位置まで設けられているため、パンツ型使い捨ておむつ１００は、多くの体液（たとえば、尿）を吸収することができる。さらに、（ｉｉｉ）第２部分３１２は、前身頃１０Ｆに配されているため、パンツ型使い捨ておむつ１００が長時間（たとえば、一晩）着用された場合にも、パンツ型使い捨ておむつ１００の外への腹側からの体液の漏れ出しを効果的に防止することができる。
【００５０】
吸収体３１の第２部分３１２の端３１２Ｅは、具体的には、胴回り方向について、第１部分３１１の端３１１Ｅから５０ｍｍの位置にある。吸収体３１の第２部分３１２の端３１２Ｅと、第１部分３１１の端３１１Ｅとの距離を、図２ＡにおいてＬｐ１で示す。Ｌｐ１は、５０ｍｍである。このような構成とすることにより、着用者が８時間程度睡眠を取る間、着用者から排出される体液を十分、吸収することができる。
【００５１】
表面シート２１に覆われた吸収体３１の第２部分３１２には、表面シート２１とともに、プレス加工が施され、複数の腹側凹部Ｓ１が設けられている。腹側凹部Ｓ１は、表面シート２１に覆われた吸収体３１の第２部分３１２の他の部位に比べて、Ｚ軸−方向にへこんでいる。腹側凹部Ｓ１は、へこみの方向（Ｚ軸方向）に垂直な胴回り方向（Ｙ軸方向）の寸法に比べて、へこみの方向（Ｚ軸方向）および胴回り方向（Ｙ軸方向）に垂直な前後方向（Ｘ軸方向）に長い形状を有する。
【００５２】
このような構成とすることにより、第１部分３１１の表面から第２部分３１２の表面に流出した体液は、腹側凹部Ｓ１を通って、第２部分３１２の表面に沿って前後方向（Ｘ軸方向）に迅速に広がる。その際、仮に、吸収体３１の第２部分３１２の表面近傍の吸収性樹脂がすでに体液を吸収してジェル化していたとしても、腹側凹部Ｓ１が維持されるため、体液の拡散機能は阻害されない。このため、着用者の体液が第２部分の前後方向に迅速に広がり、着用者の体液を効果的に吸収することができる。
【００５３】
吸収体３１の第３部分３１３は、後身頃１０Ｂに配される。第３部分３１３は、略長方形の平面形状を有する板状（シート状）に形成されている。吸収体３１の第２部分３１２は、長方形の下側（Ｘ軸方向＋側）の長辺の中央近傍において、吸収体３１の第１部分３１１と接続されている。すなわち、吸収体３１の第１部分３１１と第３部分３１３とは、一体に形成されている。また、吸収体３１の第３部分３１３は、外側表面から折り返されたカバーシート２２によって、長方形の下側（Ｘ軸方向−側）の一部を覆われている。
【００５４】
第３部分３１３の長手方向（Ｙ軸方向）の長さは、第１部分３１１の寸法よりも大きく設けられている。その結果、第３部分３１３は、胴回り方向（Ｙ軸方向）について、パンツ型使い捨ておむつ１００の中心Ｃから、第１部分３１１の端３１１Ｅよりも、同じ側にある後身頃１０Ｂの端１０ＢＥに近い位置まで設けられている。なお、図２Ｂにおいて、吸収体３１の第３部分３１３の外輪郭も、表面に露出していないため、破線で示されている。
【００５５】
第３部分３１３の端３１３Ｅは、第１部分３１１の端３１１Ｅと、同じ側にある後身頃１０Ｂの端１０ＢＥと、の中間地点よりも後身頃１０Ｂの端１０ＢＥの側にある。その結果、吸収体３１の第３部分３１３の一部は、着用者の大小便が及ぶことが通常、想定される範囲の外側に位置する。本実施形態においては、具体的には、第３部分３１３の長手方向（Ｙ軸方向、幅方向）の長さは、後身頃１０Ｂの幅方向の長さに対して、８２％である。第３部分３１３の長手方向の長さは、後身頃１０Ｂの幅方向の長さに対して、８０％以上であることが好ましい。なお、本実施形態において、後身頃１０Ｂの端１０ＢＥとは、後身頃１０Ｂと接合部１０Ｃとの境界を意味する。
【００５６】
このような構成とすることにより、（ｉ）吸収体３１の第１部分３１１で吸収しきれない体液は、第１部分３１１と接続されている第３部分３１３に吸収される。また、（ｉｉ）第３部分３１３は、胴回り方向（Ｙ軸方向）について、第１部分３１１の端３１１Ｅよりも後身頃１０Ｂの端１０ＢＥに近い位置まで設けられているため、パンツ型使い捨ておむつ１００は、多くの体液を吸収することができる。
【００５７】
吸収体３１の第３部分３１３の端３１３Ｅは、具体的には、胴回り方向について、第１部分３１１の端３１１Ｅから４５ｍｍの位置にある。吸収体３１の第３部分３１３の端３１３Ｅと、第１部分３１１の端３１１Ｅとの距離を、図２ＡにおいてＬｐ２で示す。Ｌｐ２は、４５ｍｍである。このような構成とすることにより、着用者が８時間程度睡眠を取る間、着用者から排出される体液を十分、吸収することができる。
【００５８】
表面シート２１に覆われた吸収体３１の第３部分３１３には、表面シート２１とともに、プレス加工が施され、複数の背側凹部Ｓ２が設けられている。背側凹部Ｓ２は、表面シート２１に覆われた吸収体３１の第３部分３１３の他の部位に比べて、Ｚ軸−方向にへこんでいる。背側凹部Ｓ２は、へこみの方向（Ｚ軸方向）に垂直な胴回り方向（Ｙ軸方向）の寸法に比べて、へこみの方向（Ｚ軸方向）および胴回り方向（Ｙ軸方向）に垂直な前後方向（Ｘ軸方向）に長い形状を有する。
【００５９】
このような構成とすることにより、第１部分３１１の表面から第３部分３１３の表面に流出した体液は、背側凹部Ｓ２を通って、第３部分３１３の表面に沿って前後方向（Ｘ軸方向）に迅速に広がる。その際、仮に、吸収体３１の第３部分３１３の表面近傍の吸収性樹脂がすでに体液を吸収してジェル化していたとしても、背側凹部Ｓ２は維持されるため、体液の拡散機能は阻害されない。このため、着用者の体液が第２部分の前後方向に迅速に広がり、着用者の体液を効果的に吸収することができる。
【００６０】
防水シート４１（図２Ｂ参照）は、着用者から排出された尿および体液や、吸収体３１が吸収し保持している尿および体液が、テープ型使い捨ておむつ１０外に漏出する事態を防止するための部材である。防水シート４１は、吸収体３１の第１部分３１１、第２部分３１２、および第３部分３１３と、カバーシート２２の間に配され、その周縁部が表面シート２１に接合されている。防水シート４１は、平面視した際に、その外輪郭が吸収体３１の第１部分３１１、第２部分３１２、および第３部分３１３の外輪郭を囲む大きさおよび配置で、構成され、配される（図２Ａ参照）。なお、カバーシート２２は、防水シート４１に接合されている。
【００６１】
より具体的には、防水シート４１は、第１部分４１１と、第２部分４１２と、第３部分４１３とを備える。防水シート４１の第１部分４１１は、股下部１０Ｍに配される。防水シート４１の第１部分４１１は、吸収体３１の第１部分３１１を覆うように、吸収体３１の第１部分３１１とカバーシート２２の間に配される。防水シート４１の第２部分４１２は、前身頃１０Ｆに配される。防水シート４１の第２部分４１２は、吸収体３１の第２部分３１２を覆うように、吸収体３１の第２部分３１２とカバーシート２２の間に配される。防水シート４１の第３部分４１３は、後身頃１０Ｂに配される。防水シート４１の第３部分４１３は、吸収体３１の第３部分３１３を覆うように、吸収体３１の第３部分３１３とカバーシート２２の間に配される。
【００６２】
防水シート４１は、着用者の尿や体液を透過させない材料によって構成される。防水シート４１の材料としては、ポリエチレン等の合成樹脂フィルム、不織布と合成樹脂フィルムとの複合シート（例えばスパンボンド等の不織布に通気性の合成樹脂フィルムが挟まれたシート）からなる液不透過性フィルムを採用することができる。なお、防水シート４１の材料としては、液体水を透過せず水蒸気を透過することができる、いわゆる透湿性を有する液不透過性フィルムを用いることが好ましい。透湿性のある液不透過性フィルムとしては、０．１〜０．５μｍの微細な孔を有する微多孔性ポリエチレンフィルムを採用することができる。
【００６３】
なお、本実施形態のパンツ型使い捨ておむつ１００が、「課題を解決するための手段」における「使い捨ておむつ」に相当する。本実施形態においては、胴回り方向（Ｙ軸方向）が、「課題を解決するための手段」（３）における「第１の方向」に相当する。前後方向（Ｘ軸方向）が、同項における「第２の方向」に相当する。また、胴回り方向（Ｙ軸方向）が、「課題を解決するための手段」（８）における「第３の方向」に相当する。前後方向（Ｘ軸方向）が、同項における「第４の方向」に相当する。
【００６４】
Ｂ．第２実施形態：
図３は、第２実施形態のパンツ型使い捨ておむつ１００ｂの展開図である。図３は、前身頃１０Ｆと、後身頃１０Ｂとが接合部１０Ｃ，１０Ｃで接続される前の段階のパンツ型使い捨ておむつ１００を示す。なお、図３においても、技術の理解を容易にするため、表面シート２１に覆われている防水シート４１を、破線ではなく実線で示す。また、図３は、技術の理解を容易にするための説明図であり、各部の寸法は、実際の寸法を反映するものではない。図３に示すＸ軸、Ｙ軸、Ｚ軸は、図１および図２ＡのＸ軸、Ｙ軸、Ｚ軸と対応する。
【００６５】
第２実施形態のパンツ型使い捨ておむつ１００ｂは、前身頃１０Ｆにおいて、腹側凹部Ｓ１に代えて腹側凹部Ｓ４を有する。第２実施形態のパンツ型使い捨ておむつ１００ｂは、後身頃１０Ｂにおいて、背側凹部Ｓ２に代えて背側凹部Ｓ５を有する。第２実施形態のパンツ型使い捨ておむつ１００ｂは、股下部１０Ｍにおいて、凹部Ｅ１に代えて股下凹部Ｓ６を有する。第２実施形態のパンツ型使い捨ておむつ１００ｂの他の点は、第１実施形態のパンツ型使い捨ておむつ１００と同じである。
【００６６】
第２実施形態のパンツ型使い捨ておむつ１００ｂにおいては、表面シート２１に覆われた吸収体３１の第２部分３１２には、表面シート２１とともに、プレス加工が施されたことによって形成された、複数の腹側凹部Ｓ４が設けられている。腹側凹部Ｓ４は、表面シート２１に覆われた吸収体３１の第２部分３１２の他の部位に比べて、Ｚ軸−方向にへこんでいる。腹側凹部Ｓ４は、へこみの方向（Ｚ軸方向）に垂直な前後方向（Ｘ軸方向）の寸法に比べて、へこみの方向（Ｚ軸方向）および前後方向（Ｘ軸方向）に垂直な胴回り方向（Ｙ軸方向）に長い形状を有する。
【００６７】
このような構成とすることにより、第１部分３１１の表面から第２部分３１２の表面に流出した体液は、腹側凹部Ｓ４を通って、第２部分３１２の表面に沿って胴回り方向に迅速に広がる。このため、着用者の体液が第２部分３１２の胴回り方向に迅速に広がり、着用者の体液を効果的に吸収することができる。
【００６８】
表面シート２１に覆われた吸収体３１の第３部分３１３には、表面シート２１とともに、プレス加工が施されたことによって形成された、複数の背側凹部Ｓ５が設けられている。背側凹部Ｓ５は、表面シート２１に覆われた吸収体３１の第３部分３１３の他の部位に比べて、Ｚ軸−方向にへこんでいる。背側凹部Ｓ５は、へこみの方向（Ｚ軸方向）に垂直な前後方向（Ｘ軸方向）の寸法に比べて、へこみの方向（Ｚ軸方向）および前後方向（Ｘ軸方向）に垂直な胴回り方向（Ｙ軸方向）に長い形状を有する。
【００６９】
このような構成とすることにより、第１部分３１１の表面から第３部分３１３の表面に流出した体液は、背側凹部Ｓ２を通って、第３部分３１３の表面に沿って胴回り方向に迅速に広がる。このため、着用者の体液が第３部分３１３の胴回り方向に迅速に広がり、着用者の体液を効果的に吸収することができる。
【００７０】
表面シート２１に覆われた吸収体３１の第１部分３１１には、表面シート２１とともに、プレス加工が施されたことによって形成された、複数の股下凹部Ｓ６が設けられている。股下凹部Ｓ６は、表面シート２１に覆われた吸収体３１の第１部分３１１の他の部位に比べて、Ｚ軸−方向にへこんでいる。股下凹部Ｓ６は、へこみの方向（Ｚ軸方向）に垂直な胴回り方向（Ｙ軸方向）の寸法に比べて、へこみの方向（Ｚ軸方向）および胴回り方向（Ｙ軸方向）に垂直な前後方向（Ｘ軸方向）に長い形状を有する。
【００７１】
また、第１部分３１１の吸収性樹脂がすでに体液を吸収して第１部分３１１の表面近傍がジェル化していたとしても、着用者から排出された体液は、股下凹部Ｓ６を通って、第１部分３１１の表面に沿って前後方向に迅速に広がる。このため、着用者の体液が第１部分３１１の前後方向に迅速に広がり、着用者の体液を効果的に吸収することができる。また、第１部分３１１で吸収しきれない体液を第２部分３１２および第３部分３１３に迅速に拡散させることができる。
【００７２】
なお、本実施形態のパンツ型使い捨ておむつ１００ｂが、「課題を解決するための手段」における「使い捨ておむつ」に相当する。本実施形態においては、前後方向（Ｘ軸方向）が、「課題を解決するための手段」（４）における「第１の方向」に相当する。胴回り方向（Ｙ軸方向）が、同項における「第２の方向」に相当する。また、前後方向（Ｘ軸方向）が、「課題を解決するための手段」（９）における「第３の方向」に相当する。胴回り方向（Ｙ軸方向）が、同項における「第４の方向」に相当する。
【００７３】
Ｃ．変形例：
この発明は上記の実施例や実施形態に限られるものではなく、その要旨を逸脱しない範囲において種々の態様において実施することが可能であり、例えば次のような変形も可能である。
【００７４】
Ｃ１．変形例１：
本実施形態においては、吸収体３１の第２部分３１２の端３１２Ｅは、胴回り方向について、第１部分３１１の端３１１Ｅから５０ｍｍの位置にある。しかし、着用者の腹側に位置すべき吸収体の第２部分の端は、胴回り方向について、第１部分の端から４０ｍｍや６０ｍｍの位置など、他の位置にあってもよい。ただし、吸収体の第２部分の端は、胴回り方向について、第１部分の端から４５〜５５ｍｍの位置にあることが好ましい。
【００７５】
そのような態様とすれば、着用者の一晩分の尿の一部が腹側から漏れる事態を防止することができる。そして、そのような機能を維持しつつ、着用者の体液が伝わりにくい部位（着用者の体側部に相当する部分）にまで、無駄な吸収体を配することがないため、使い捨ておむつの製造コストを低減することができる。
【００７６】
Ｃ２．変形例２：
本実施形態においては、吸収体３１の第３部分３１３の端３１３Ｅは、胴回り方向について、第１部分３１１の端３１１Ｅから４５ｍｍの位置にある。しかし、着用者の背側に位置すべき吸収体の第３部分の端は、胴回り方向について、第１部分の端から４０ｍｍや６０ｍｍの位置など、他の位置にあってもよい。さらに、使い捨ておむつの中心から、後身頃の端よりも、同じ側にある第１部分の端に近い位置まで、設けられている態様とすることもできる。ただし、吸収体の第３部分の端は、胴回り方向について、第１部分の端から４５〜５５ｍｍの位置にあることが好ましい。
【００７７】
そのような態様とすれば、着用者の一晩分の尿の一部が外部に漏れる事態を防止することができる。そして、そのような機能を維持しつつ、着用者の体液が背側から伝わりにくい部位（着用者の体側部に相当する部分）にまで、無駄な吸収体を配することがないため、使い捨ておむつの製造コストを低減することができる。
【００７８】
Ｃ３．変形例３：
上記実施形態においては、吸収体３１の第１部分３１１は、複数の長円形の凹部Ｅ１または前後方向（Ｘ軸方向）に伸びる複数の股下凹部Ｓ６を備える。しかし、着用者の股下に配されるべき吸収体の第１部分は、Ｘ軸にもＹ軸にも平行ではない斜め方向に伸びる凹部を備える態様とすることもできる。また、屈曲した凹部や、蛇行する凹部を備える態様とすることもできる。さらに、格子状の凹部を備えることもできる。ただし、吸収体の第１部分は、へこみの方向に垂直な第１の方向の寸法に比べて、へこみの方向および第１の方向に垂直な第２の方向に長い、凹部を備えることが好ましい。そのような態様とすれば、吸収体の第１部分において、第２の方向に沿って着用者の体液を迅速に拡散させることができる。
【００７９】
また、着用者の股下に配されるべき吸収体の第１部分は、凹部を１個だけ備える態様とすることもできる。さらに、吸収体の第１部分は、凹部を備えない態様とすることもできる。
【００８０】
Ｃ４．変形例４：
上記実施形態においては、吸収体３１の第２部分３１２は、前後方向（Ｘ軸方向）に伸びる複数の腹側凹部Ｓ１または胴回り方向（Ｙ軸方向）に伸びる複数の腹側凹部Ｓ４を備える。しかし、着用者の腹側に配されるべき吸収体の第２部分は、Ｘ軸にもＹ軸にも平行ではない斜め方向に伸びる腹側凹部を備える態様とすることもできる。また、屈曲した腹側凹部や、蛇行する腹側凹部を備える態様とすることもできる。さらに、格子状の腹側凹部を備えることもできる。ただし、吸収体の第２部分は、へこみの方向に垂直な第１の方向の寸法に比べて、へこみの方向および第１の方向に垂直な第２の方向に長い、凹部を備えることが好ましい。そのような態様とすれば、吸収体の第３部分において、第２の方向に沿って着用者の体液を迅速に拡散させることができる。
【００８１】
また、着用者の腹側に配されるべき吸収体の第２部分は、腹側凹部を１個だけ備える態様とすることもできる。さらに、吸収体の第２部分は、腹側凹部を備えない態様とすることもできる。
【００８２】
Ｃ５．変形例５：
上記実施形態においては、吸収体３１の第３部分３１３は、前後方向（Ｘ軸方向）に伸びる複数の背側凹部Ｓ２または胴回り方向（Ｙ軸方向）に伸びる複数の背側凹部Ｓ５を備える。しかし、着用者の背側に配されるべき吸収体の第３部分は、Ｘ軸にもＹ軸にも平行ではない斜め方向に伸びる背側凹部を備える態様とすることもできる。また、屈曲した背側凹部や、蛇行する背側凹部を備える態様とすることもできる。さらに、格子状の背側凹部を備えることもできる。ただし、吸収体の第３部分は、へこみの方向に垂直な第１の方向の寸法に比べて、へこみの方向および第１の方向に垂直な第２の方向に長い、凹部を備えることが好ましい。そのような態様とすれば、吸収体の第３部分において、第２の方向に沿って着用者の体液を迅速に拡散させることができる。
【００８３】
また、着用者の背側に配されるべき吸収体の第３部分は、背側凹部を１個だけ備える態様とすることもできる。さらに、吸収体の第３部分は、背側凹部を備えない態様とすることもできる。
【００８４】
Ｃ６．変形例６：
上記実施形態においては、背側凹部と、腹側凹部は、同じ向きに長い形状を有する（図２Ａおよび図３参照）。しかし、背側凹部と、腹側凹部は、互いに異なる向きに長い形状を有していてもよい。すなわち、背側凹部と、腹側凹部は、互いに類似の形状ではなく、異なる形状を備えていてもよい。
【００８５】
Ｃ７．変形例７：
上記実施形態においては、吸収体３１は、第１部分３１１と、第２部分３１２と、第３部分３１３と、を備える。しかし、吸収体は、股下部に配される第１部分と、前身頃に配される第２部分と、を備え、後身頃に配される第３部分を備えない態様とすることもできる。
【００８６】
Ｃ８．変形例８：
上記実施形態においては、吸収体３１の第１部分３１１と、第２部分３１２と、第３部分３１３とは、一体に形成されている。しかし、吸収体の第１部分と、第２部分と、第３部分とは、各部の間を着用者の体液を伝搬させることができる構成で接続されていればよく、別体で形成するようにしてもよい。本明細書においては、そのような態様も、吸収体の第１部分と第２部分とが「接続されている」態様、および吸収体の第１部分と第３部分とが「接続されている」態様に含まれる。
【００８７】
Ｃ９．変形例９：
上記実施形態においては、パンツ型使い捨ておむつ１００に本発明を適用した実施形態について説明した。しかし、本発明は、テープ型使い捨ておむつに適用することもできる。なお、そのような態様においては、後身頃の端は、着用者の身体の胴回りの側面において、前身頃と後身頃を接続するための固定テープおよびその基材部分を除いた後身頃の端を意味する。なお、本明細書において「使い捨ておむつ」とは、パルプを使用した使い捨ておむつに限定されるものではなく、使用後に洗浄されて再利用されることなく、廃棄される使い捨ておむつを意味する。
【００８８】
上記実施形態および変形例で説明した各構成は、様々な組み合わせで実現することができ、また、その一部を省略して実現することもできる。
【符号の説明】
【００８９】
１０Ｂ…後身頃
１０ＢＥ…後身頃の胴回り方向の端
１０Ｃ…接合部
１０Ｆ…前身頃
１０ＦＥ…前身頃の胴回り方向の端
１０Ｍ…股下部
１２…センターシート
１４…サイドシート
１００，１００ｂ…パンツ型使い捨ておむつ
２１…表面シート
２２…カバーシート
３１…吸収体
３２…吸収部
３３…コアラップシート
３１１…吸収体の第１部分
３１１Ｅ…第１部分の胴回り方向の端
３１２…吸収体の第２部分
３１２Ｅ…第２部分の胴回り方向の端
３１３…吸収体の第３部分
３１３Ｅ…第３部分の胴回り方向の端
３３１…第１のシート
３３２…第２のシート
４１…防水シート
４１１…防水シートの第１部分
４１２…防水シートの第２部分
４１３…防水シートの第３部分
６２…ひれ部
６４…弾性部材
６６…弾性部材
Ｃ…パンツ型使い捨ておむつの中心
Ｅ１…凹部
Ｌｐ１…第２部分３１２の端３１２Ｅと、第１部分３１１の端３１１Ｅとの距離
Ｌｐ２…第３部分３１３の端３１３Ｅと、第１部分３１１の端３１１Ｅとの距離
Ｓ１…腹側凹部
Ｓ２…背側凹部
Ｓ４…腹側凹部
Ｓ５…背側凹部
Ｓ６…股下凹部
【図１】
2018126179.tif 000003
【図２Ａ】
2018126179.tif 000004
【図２Ｂ】
2018126179.tif 000005
【図３】
2018126179.tif 000006